(57)【特許請求の範囲】
【請求項１】
開口部を上向きとして設置された箱本体と、
該箱本体に蝶番によって取付けられ、前記開口部を覆う上開き式の扉とからなり、
前記箱本体は、前記開口部の周縁を内側に折り曲げた水平辺と立上辺とからなる水切部を備え、
前記扉は、その四辺を垂直下方に折り曲げてなる垂下辺を備えた電気機器収納用箱であって、
前記蝶番とは反対側の垂下辺に、他の垂下辺の端部よりさらに垂直下方に延びる延設辺を形成するとともに、
該延設辺と前記水平辺との間に塞ぎ部材を設けたことを特徴とする電気機器収納用箱。
【請求項２】
前記延設辺の先端から、前記水平辺と平行に折り返された折返辺を形成し、
該折返辺と前記水平辺との間に、前記塞ぎ部材を設けたことを特徴とする請求項１記載の電気機器収納用箱。
【請求項３】
前記扉の閉塞時に、
前記延設辺と前記水平辺との隙間が、前記立上辺と前記扉の裏面との隙間よりも狭いことを特徴とする請求項１または２に記載の電気機器収納用箱。
【発明の詳細な説明】
【技術分野】
【０００１】
本発明は、上開き式の扉を備えた電気機器収納用箱に関するものである。
【背景技術】
【０００２】
電気機器収納用箱には、太陽光システムの集電装置のように家屋の屋根上に設置されるものがある。このような電気機器収納用箱は、箱本体の開口部が上向きとなるよう寝かせて設置され、さらにこの開口部を覆う上開き式の扉が蝶番によって取付けられている。また、図７に示すように、箱本体５１には、その開口部の周縁を内側に折り曲げた水平辺５３と、この水平辺５３から垂直上方に立ち上がる立上辺５４と、さらに立上辺５４から外側に折り曲げた折曲辺５５とからなる水切部５６が設けられている。そして、折曲辺５５と扉５２の裏面との間に防水パッキン５７を設けることにより、扉５２の閉塞時に雨水の浸入を防止することができるものとしている。
【０００３】
また、扉５２にはその四辺を垂直下方に折り曲げてなる垂下辺５８が形成されている。さらに、扉５２の強度を向上させるために、蝶番と反対側の垂下辺５８を内側に折り返して折返辺５９を形成することが通常である。
【０００４】
以上のような電気機器収納用箱においては、扉５２の閉塞時に雨水が箱本体５１内に浸入する恐れはない。しかしながら、扉５２に形成した折返辺５９と箱本体５１に形成した水平辺５３との間に雨水が浸入して、これにより扉５２を開けた際に水滴が箱本体５１内に落下する問題がある。この問題を解決するために、特許文献１及び図７に示すように、折返辺５９と水平辺５３との間に非吸水性の塞ぎ部材６０を設ける技術が開示されている。
【０００５】
しかしながら、塞ぎ部材６０は、水滴がその表面に沿って流れ落ちることができる程度に折返辺５９の外側に貼付する必要がある。加えて、特許文献１のように、従来塞ぎ部材６０は厚く形成されていた。これらの理由により、塞ぎ部材６０が外部から視認され易くなるため、鳥についばまれたり、または紫外線の影響を受け易くなることで、塞ぎ部材６０が傷み、劣化が進んでしまうという問題があった。
【先行技術文献】
【特許文献】
【０００６】
【特許文献１】特開２０１４−３６４５４号公報
【発明の概要】
【発明が解決しようとする課題】
【０００７】
本発明の目的は前記した従来の問題点を解決し、扉を持ち上げても水滴が箱本体内に落下することがなく、かつ、塞ぎ部材が傷む恐れのない電気機器収納用箱を提供することである。
【課題を解決するための手段】
【０００８】
上記課題を解決するためになされた本発明は、開口部を上向きとして設置された箱本体と、該箱本体に蝶番によって取付けられ、前記開口部を覆う上開き式の扉とからなり、前記箱本体は、前記開口部の周縁を内側に折り曲げた水平辺と立上辺とからなる水切部を備え、前記扉は、その四辺を垂直下方に折り曲げてなる垂下辺を備えた電気機器収納用箱であって、前記蝶番とは反対側の垂下辺に、他の垂下辺の端部よりさらに垂直下方に延びる延設辺を形成するとともに、該延設辺と前記水平辺との間に塞ぎ部材を設けたことを特徴とするものである。
【０００９】
請求項２記載の発明は、請求項１記載の電気機器収納用箱において、前記延設辺の先端から、前記水平辺と平行に折り返された折返辺を形成し、該折返辺と前記水平辺との間に、前記塞ぎ部材を設けたことを特徴とするものである。
【００１０】
請求項３記載の発明は、請求項１または２記載の電気機器収納用箱において、前記延設辺と前記水平辺との隙間が、前記立上辺と前記扉の裏面との隙間よりも狭いことを特徴とするものである。
【発明の効果】
【００１１】
本発明に係る電気機器収納用箱は、蝶番とは反対側の垂下辺に、他の垂下辺の端部よりさらに垂直下方に延びる延設辺を形成するものとした。さらに、この延設辺と水平辺との間に塞ぎ部材を設けた。この塞ぎ部材により、表面張力によって延設辺と水平辺との間に雨水が溜まることを防ぐことができるため、扉を持ち上げても水滴が箱本体内に落下する恐れがない。また、蝶番とは反対側の垂下辺に延設辺を形成したことにより、延設辺と水平辺との間隔が狭くなるため、両者の間に設ける塞ぎ部材を薄くすることができる。これにより、塞ぎ部材が鳥についばまれたり、紫外線の影響を受けることを防止することができ、塞ぎ部材の傷みや劣化を防ぐことができる。
【００１２】
請求項２に係る発明は、延設辺の先端から、水平辺と平行に折り返された折返辺を形成するものとし、この折返辺と水平辺との間に塞ぎ部材を設けるものとした。このように折返辺を形成するものとすれば、扉の強度を高めることができ、この折返辺と水平辺との間に塞ぎ部材を設けることで、請求項１と同様に、扉を持ち上げても水滴が箱本体内に落下することがなく、かつ、塞ぎ部材が傷む恐れのないものとなる。
【００１３】
請求項３に係る発明は、延設辺と水平辺との隙間が、立上辺と扉の裏面との隙間よりも狭くなるものとした。これにより、延設辺と水平辺との間の雨水の浸入経路をより狭くすることができるため、扉を持ち上げても水滴が箱本体内に落下する恐れがないものとなる。
【図面の簡単な説明】
【００１４】
【図１】第１の実施形態における扉閉塞時を示す全体斜視図である。
【図２】第１の実施形態における扉開放時を示す全体斜視図である。
【図３】第１の実施形態の要部を示す断面図である。
【図４】第１の実施形態の要部を示す拡大図である。
【図５】図２における扉部分の拡大斜視図である。
【図６】第２の実施形態の要部を示す断面図である。
【図７】従来の電気機器収納用箱の要部を示す断面図である。
【発明を実施するための形態】
【００１５】
以下に本発明の好ましい実施形態を示す。
（第１の実施形態）
図１及び図２において、１はその内部に電気機器を収納する箱本体、２は箱本体１に蝶番３によって取付けられた扉である。このような電気機器収納用箱は、箱本体１の開口部４が上向きとなるよう、家屋の屋根上に寝かせて設置される。扉２には取手５が設けられており、この取手５を持ち上げることで、図２のように扉２が上向きに開かれる。
【００１６】
図２のように、箱本体１には、その開口部４の周縁を内側に折り曲げた水平辺６と、この水平辺６から垂直上方に立ち上がる立上辺７と、さらに立上辺７から外側に折り曲げた折曲辺８とからなる水切部９が設けられている。そして、図３のように、折曲辺８と扉２の裏面との間に防水パッキン１０を設けることにより、扉２の閉塞時に雨水の浸入を防止することができるものとしている。この防水パッキン１０としては、後述する塞ぎ部材１４よりも弾性係数が小さい材質のものが好ましく、例えばＥＰＤＭ等が用いられる。なお、防水パッキン１０は扉２の裏面に設けるものとしたが、折曲辺８に設けても良い。また、水切部９は折曲辺８を備えたものでなくても良い。その場合には、立上辺７を防水パッキン１０に密着させるものとする。
【００１７】
図２及び図４のように、扉２には、その四辺を垂直下方に折り曲げてなる垂下辺１１が形成されている。さらに、蝶番３とは反対側、すなわち取手５が設けられた側の垂下辺１１ａには、他の垂下辺１１ｂの端部よりさらに垂直下方に延びる延設辺１２を形成するものとした。この延設辺１２の先端からは、水平辺６と平行に内側へ折り返された折返辺１３が形成されている。そして、この折返辺１３と水平辺６との間に、好ましくは防水パッキン１０よりも弾性係数が大きい塞ぎ部材１４を設けるものとした。
【００１８】
この塞ぎ部材１４は、図３のように、水滴がその表面に沿って流れ落ちることができる程度に、折返辺１３の外側位置に貼付されるものである。なお、塞ぎ部材１４は、折返辺１３ではなく水平辺６に貼付されるものであっても差し支えない。
【００１９】
以上のような構成とすることで、塞ぎ部材１４により、表面張力によって延設辺１２及び折返辺１３と、水平辺６との間に雨水が溜まることを防ぐことができるため、扉２を持ち上げても水滴が箱本体１内に落下する恐れがない。また、蝶番３とは反対側の垂下辺１１ａに延設辺１２を形成したことにより、延設辺１２及び折返辺１３と、水平辺６との間隔を狭くすることができる。そして、この隙間に塞ぎ部材１４を設けることで、塞ぎ部材１４を薄くすることができる。これにより、塞ぎ部材１４が厚く形成されているがために、扉２の荷重によって、塞ぎ部材１４が折返辺１３の外側にはみ出してしまうという従来の問題点を解決することができる。したがって、塞ぎ部材１４が鳥についばまれたり、紫外線の影響を受けることを防止することができ、これにより塞ぎ部材１４の傷みや劣化を防ぐことができる。また、防水パッキン１０よりも弾性係数が大きい塞ぎ部材を用いたり、防水パッキン１０と弾性係数が同等の塞ぎ部材であったとしても扉２の裏面と折曲辺８の隙間より扉２の折返辺１３と水平辺１３の隙間を小さくするなどして、扉２を閉める際に防水パッキン１０よりも塞ぎ部材１４の方が高い圧力を受けるようにすれば、塞ぎ部材１４自体が戸当たりブッシュとして機能するため、別途戸当たりブッシュを設ける必要もない。
【００２０】
また、前述のように扉２に折返辺１３を形成するものとすれば、扉２の強度を高めることができることから、大型の電気機器収納用箱にも対応可能となる。なお、この折返辺１３を形成しない場合については、第２の実施形態として後述する。
【００２１】
図３のように、延設辺１２及び折返辺１３と、水平辺６との隙間は、立上辺７及び折曲辺８と、扉２の裏面との隙間よりも狭くなるものとしている。このような構成とすれば、延設辺１２及び折返辺１３と、水平辺６との間の雨水の浸入経路をより狭くすることができるため、扉２を持ち上げても水滴が箱本体１内に落下する恐れがないものとなる。なお、前述の通り、延設辺１２は、蝶番３とは反対側、すなわち取手５が設けられた側の垂下辺１１ａのみに形成している。加えて、図５のように、延設辺１２は垂下辺１１ａの長手方向すべてに亘って形成するものではなく、扉２の角部となる箇所には形成しないものとしている。これは、他の垂下辺１１ｂにも延設辺１２を形成した場合や、垂下辺１１ａの長手方向すべてに亘って延設辺を形成した場合には、延設辺１２及び折返辺１３と、水平辺６との間に水滴が溜まり、これにより錆が発生してしまう恐れがあるためである。
【００２２】
（第２の実施形態）
図６には第２の実施形態を示す。
この実施形態は、延設辺１２の先端を内側に折り返さないもの、即ち折返辺１３を形成しない点で第１の実施形態と異なるものである。この実施形態においては、延設辺１２の先端と水平辺６との間に塞ぎ部材１４を設けるものとした。このような構成とすれば、特に扉２の強度が要求されない小型の電気機器収容用箱においては、曲げ工数が少なくなるため、加工がより簡単なものとなる利点がある。また、塞ぎ部材１４は、圧入により扉２に設けることもできる。
【００２３】
以上のように、第１の実施形態及び第２の実施形態の何れにおいても、塞ぎ部材１４は少なくとも延設辺１２と水平辺６との間に設けられるものである。このような構成により、扉２を持ち上げても水滴が箱本体１内に落下することがなく、かつ、塞ぎ部材１４が傷む恐れのないものとなる。
【符号の説明】
【００２４】
１  箱本体
２  扉
３  蝶番
４  開口部
５  取手
６  水平辺
７  立上辺
８  折曲辺
９  水切部
１０  防水パッキン
１１  垂下辺
１２  延設辺
１３  折返辺
１４  塞ぎ部材
【図１】
0006347729.tif 000002
【図２】
0006347729.tif 000003
【図３】
0006347729.tif 000004
【図４】
0006347729.tif 000005
【図５】
0006347729.tif 000006
【図６】
0006347729.tif 000007
【図７】
0006347729.tif 000008